(57)【要約】【課題】ケース体の上方に他のケース体を積み重ねると、下方のケース体の上面板の上面と左右の側面板の内面とにより形成された位置決め載置部と上方のケース体の底面板の接続舌片の外面と底面板の底面とにより形成された位置決め嵌合部とが嵌合し、この相互の嵌合によりケース体を位置決め状態で積み重ねることができ、上方のケース体の滑り落ちを防ぐことができる。【解決手段】ケース体の底面板２及び上面板３の左右辺縁部に接続舌片２ａ・２ａ、３ａ・３ａを形成すると共に上記ケース体の側面板１・１を板状に形成し、該ケース体の側面板を該底面板及び該上面板の左右の接続舌片間に該側面板の上辺縁部が該ケース体の上面板の上面より上方に突出すると共に上記ケース体の左右の側面板の下辺縁部が該ケース体の底面板の底面より上方に没入する状態で固着する。【選択図】        図１
2004299745.tif 000002
【特許請求の範囲】
【請求項１】
左右の側面板、底面板、上面板及び後面板からなる前部開口部をもつケース体と、該ケース体に引出自在に設けられ、上部開口部をもつ開口容器状の引出体とからなり、上記ケース体の底面板及び上面板の左右辺縁部に接続舌片を形成すると共に上記ケース体の側面板を板状に形成し、該ケース体の側面板を該底面板及び該上面板の左右の接続舌片間に該側面板の上辺縁部が該ケース体の上面板の上面より上方に突出すると共に上記ケース体の左右の側面板の下辺縁部が該ケース体の底面板の底面より上方に没入する状態で固着することにより、該ケース体の上面板の上面と左右の側面板の内面とにより位置決め載置部を形成すると共に該ケース体の底面板の接続舌片の外面と底面板の底面とにより上記位置決め載置部に嵌合可能な位置決め嵌合部を形成してなることを特徴とする収納ケース。
【請求項２】
上記ケース体の上面板、後面板及び底面板は一体に折曲形成され、該ケース体の上面板、後面板及び底面板の左右辺縁部に接続舌片を形成してなることを特徴とする請求項１記載の収納ケース。
【請求項３】
上記ケース体及び引出体を板紙材により形成してなることを特徴とする請求項１又は２記載の収納ケース。
【請求項４】
上記ケース体の側面板を上記底面板及び上記上面板の左右の接続舌片間にリベットにより固着してなることをにより形成してなることを特徴とする請求項１〜３のいずれか１項に記載の収納ケース。
【請求項５】
上記ケース体の側面板の上辺縁部に補強金具を止着してなることを特徴とする請求項１〜４のいずれか１項に記載の収納ケース。
【発明の詳細な説明】
【０００１】
【発明の属する技術分野】
本発明は例えば一般家庭用及び業務用として文房具、裁縫用具、化粧品類、カセットテープ、音楽ＣＤ等の各種の小物類からなる収納物の整理収納に用いられる収納ケースに関するものである。
【０００２】
【従来の技術】
従来この種の収納ケースとして、左右の側面板、底面板、上面板及び後面板からなる前部開口部をもつケース体と、該ケース体に引出自在に設けられ、上部開口部をもつ開口容器状の引出体とからなる構造のものが知られている。
【０００３】
【発明が解決しようとする課題】
しかしながら上記従来構造の場合、上記ケース体の上面板の上面及び底面板の底面は平坦面に形成され、複数個のケース体を積み重ねると、滑って落下することがあり、このため、積み重ねて使用することができないことがあるという不都合を有している。
【０００４】
【課題を解決するための手段】
本発明はこのような課題を解決することを目的とするもので、本発明のうち、請求項１記載の発明にあっては、左右の側面板、底面板、上面板及び後面板からなる前部開口部をもつケース体と、該ケース体に引出自在に設けられ、上部開口部をもつ開口容器状の引出体とからなり、上記ケース体の底面板及び上面板の左右辺縁部に接続舌片を形成すると共に上記ケース体の側面板を板状に形成し、該ケース体の側面板を該底面板及び該上面板の左右の接続舌片間に該側面板の上辺縁部が該ケース体の上面板の上面より上方に突出すると共に上記ケース体の左右の側面板の下辺縁部が該ケース体の底面板の底面より上方に没入する状態で固着することにより、該ケース体の上面板の上面と左右の側面板の内面とにより位置決め載置部を形成すると共に該ケース体の底面板の接続舌片の外面と底面板の底面とにより上記位置決め載置部に嵌合可能な位置決め嵌合部を形成してなることを特徴とする収納ケースにある。
【０００５】
又、請求項２記載の発明は、上記ケース体の上面板、後面板及び底面板は一体に折曲形成され、該ケース体の上面板、後面板及び底面板の左右辺縁部に接続舌片を形成してなることを特徴とするものであり、又、請求項３記載の発明は、上記ケース体及び引出体を板紙材により形成してなることを特徴とするものであり、又、請求項４記載の発明は、上記ケース体の側面板を上記底面板及び上記上面板の左右の接続舌片間にリベットにより固着してなることをにより形成してなることを特徴とするものであり、又、請求項５記載の発明は、上記ケース体の側面板の上辺縁部に補強金具を止着してなることを特徴とするものである。
【０００６】
【発明の実施の形態】
図１乃至図６は本発明の実施の形態例を示し、図１乃至図４は第一形態例、図５は第二形態例、図６は第三形態例である。
【０００７】
図１乃至図４の第一形態例において、Ｋはケース体であって、板紙材により製作され、左右の側面板１・１、底面板２、上面板３及び後面板４からなる前部開口部をもつ有底四角筒状に形成され、Ｈは引出体であって、板紙材により製作され、ケース体Ｋに引出自在に設けられ、上部開口部をもつ開口容器状に形成されている。
【０００８】
この場合、上記ケース体Ｋの上面板３、後面板４及び底面板２は一体に折曲形成され、このケース体Ｋの上面板３、後面板４及び底面板２の左右辺縁部に接続舌片３ａ・３ａ、４ａ・４ａ、２ａ・２ａを形成し、上記ケース体Ｋの側面板１・１を板状に形成し、ケース体Ｋの側面板１・１を底面板２、後面板４及び上面板３の左右の接続舌片間３ａ・３ａ、４ａ・４ａ、２ａ・２ａに側面板１・１の上辺縁部Ｍがケース体Ｋの上面板３の上面より上方に突出すると共に上記ケース体Ｋの左右の側面板１・１の下辺縁部Ｎがケース体Ｋの底面板２の底面より上方に没入する状態で複数個のリベット５で固着し、これによりケース体Ｋの上面板３の上面と左右の側面板１・１の内面とにより位置決め載置部Ｆを形成すると共にケース体Ｋの底面板２の接続舌片２ａ・２ａの外面と底面板２の底面とにより上記位置決め載置部Ｆに嵌合可能な位置決め嵌合部Ｑを形成している。
【０００９】
又、この場合、上記ケース体Ｋの側面板１・１の上辺縁部に補強金具６を止着し、かつ、ケース体Ｋ及び引出体Ｈの角縁部に補強金具７を止着している。
【００１０】
この実施の第一形態例は上記構成であるから、図４の如く、このケース体Ｋの上方に他のケース体Ｋを積み重ねると、下方のケース体Ｋの上面板３の上面と左右の側面板１・１の内面とにより形成された位置決め載置部Ｆと上方のケース体Ｋの底面板２の接続舌片２ａ・２ａの外面と底面板２の底面とにより形成された位置決め嵌合部Ｑとが嵌合し、この相互の嵌合によりケース体Ｋ・Ｋを位置決め状態で積み重ねることができ、上方のケース体Ｋの滑り落ちを防ぐことができ、このため、複数個のケース体Ｋを確実に積み重ねて使用することができ、しかも、上面板３、後面板４及び底面板２の左右辺縁部に接続舌片３ａ・３ａ、４ａ・４ａ、２ａ・２ａを形成し、上記ケース体Ｋの側面板１・１を板状に形成し、ケース体Ｋの側面板１・１を底面板２、後面板４及び上面板３の左右の接続舌片間３ａ・３ａ、４ａ・４ａ、２ａ・２ａに側面板１・１の上辺縁部Ｍがケース体Ｋの上面板３の上面より上方に突出すると共に上記ケース体Ｋの左右の側面板１・１の下辺縁部Ｎがケース体Ｋの底面板２の底面より上方に没入する状態で固着し、これにより上記位置決め載置部Ｆ及び上記位置決め嵌合部Ｑを形成しているから、積み重ね構造を簡素化することができ、それだけ製作コストを低減することができる。
【００１１】
又、この場合、図３の如く、上記ケース体Ｋの上面板３、後面板４及び底面板２は一体に折曲形成され、このケース体Ｋの上面板３、後面板４及び底面板２の左右辺縁部に接続舌片３ａ・３ａ、４ａ・４ａ、２ａ・２ａを形成してなるから、ケース体Ｋを容易に製作することができ、かつ、この場合、上記ケース体Ｋ及び引出体Ｈを板紙材により形成してなるから、軽量化を図ることができると共に環境に優しくて、リサイクル化が可能となり、又、この場合、上記ケース体Ｋの側面板１・１を上記底面板２及び上記上面板３の左右の接続舌片２ａ・２ａ、３ａ・３ａ間にリベット５により固着してなるから、ケース体Ｋを容易に製作することができると共に強固なケース体Ｋを製作することができ、又さらに、この場合、上記ケース体Ｋの側面板１・１の上辺縁部に補強金具６・６を止着しているから、補強金具６によりケース体Ｋの耐久性を向上することができる。
【００１２】
図５の第二形態例は別例構造を示し、この場合、ケース体Ｋの左右の側面板１・１間に板紙製の仕切板８・８を二段に固着架設し、三個の引出体Ｈを引き出し自在に設けて構成され、このケース体１を上記第一形態例同様に形成して構成したものである。
【００１３】
図６の第三形態例も別例構造を示し、この場合、ケース体Ｋに左右二個の引出体Ｈを引き出し自在に設けて構成され、このケース体１を上記第一形態例同様に形成して構成したものである。
【００１４】
この第二、第三形態例にあっても、上記第一形態例と同様な作用効果を得ることができる。
【００１５】
尚、本発明は上記実施の形態例に限られるものではなく、ケース体Ｋ及び引出体Ｈの構造や形態等は適宜変更して設計されるものである。
【００１６】
【発明の効果】
本発明は上述の如く、請求項１記載の発明にあっては、ケース体の上方に他のケース体を積み重ねると、下方のケース体の上面板の上面と左右の側面板の内面とにより形成された位置決め載置部と上方のケース体の底面板の接続舌片の外面と底面板の底面とにより形成された位置決め嵌合部とが嵌合し、この相互の嵌合によりケース体を位置決め状態で積み重ねることができ、上方のケース体の滑り落ちを防ぐことができ、このため、複数個のケース体を確実に積み重ねて使用することができ、しかも、上面板及び底面板の左右辺縁部に接続舌片を形成し、上記ケース体の側面板を板状に形成し、ケース体の側面板を底面板及び上面板の左右の接続舌片間に側面板の上辺縁部がケース体の上面板の上面より上方に突出すると共に上記ケース体の左右の側面板の下辺縁部がケース体の底面板の底面より上方に没入する状態で固着し、これにより上記位置決め載置部及び上記位置決め嵌合部を形成しているから、積み重ね構造を簡素化することができ、製作コストを低減することができる。
【００１７】
又、請求項２記載の発明にあっては、上記ケース体の上面板、後面板及び底面板は一体に折曲形成され、このケース体の上面板、後面板及び底面板の左右辺縁部に接続舌片を形成してなるから、ケース体を容易に製作することができ、又、請求項３記載の発明にあっては、上記ケース体及び引出体を板紙材により形成してなるから、軽量化を図ることができると共に環境に優しくて、リサイクル化が可能となり、又、請求項４記載の発明にあっては、上記ケース体の側面板を上記底面板及び上記上面板の左右の接続舌片間にリベットにより固着してなるから、ケース体を容易に製作することができると共に強固なケース体を製作することができ、又、請求項５記載の発明にあっては、上記ケース体の側面板の上辺縁部に補強金具を止着しているから、補強金具によりケース体の耐久性を向上することができる。
【００１８】
以上、所期の目的を充分達成することができる。
【図面の簡単な説明】
【図１】本発明の実施の第一形態例の全体斜視図である。
【図２】本発明の実施の第一形態例の全体分離斜視図である。
【図３】本発明の実施の第一形態例の部分斜視図である。
【図４】本発明の実施の第一形態例の縦断面図である。
【図５】本発明の実施の第二形態例の縦断面図である。
【図６】本発明の実施の第三形態例の縦断面図である。
【符号の説明】
Ｈ  ケース体
Ｈ  引出体
Ｆ  位置決め載置部
Ｑ  位置決め嵌合部
Ｍ  上辺縁部
Ｎ  下辺縁部
１  測面板
２  底面板
２ａ  接続舌片
３  上面板
３ａ  接続舌片
４  後面板
５  リベット
６  補強金具
【図１】
2004299745.tif 000003
【図２】
2004299745.tif 000004
【図３】
2004299745.tif 000005
【図４】
2004299745.tif 000006
【図５】
2004299745.tif 000007
【図６】
2004299745.tif 000008